(57)【要約】  【課題】  平板瓦葺き屋根における乾式隅棟部の施工を熟練技能者でない作業者でも効率よく遂行できるようにする。  【解決手段】  平板瓦１で葺かれた屋根２の隅棟部Ａに冠瓦１０を乾式で葺設するとき、冠瓦の両側縁部に覆い被される平板隅瓦１ａに短尺な板状弾性シール部材２０を立設・固定し、防水シート９で立設・固定した板状弾性シール部材２０を覆い、その上に冠瓦を固定する。板状弾性シール部材は、側面が略台形をなしており、その水平な底端面２１から垂直に立ち上がる長辺垂直端面２３と短辺垂直端面２４を有している。平板隅瓦上に板状弾性シール部材を固定するとき、長辺垂直端面を短辺垂直端面より上位になるように感圧接着剤で接着するとともに、その長辺垂直端面を１段上位に葺かれた平板隅瓦上の弾性シール部材の短辺垂直端面に接着する。【選択図】図１
2007327214.tif 000002
【特許請求の範囲】
【請求項１】
平板瓦（１）で葺かれた屋根（２）の隅棟部（Ａ）に冠瓦（１０）を乾式で葺設される乾式隅棟部において、前記平板瓦のうち前記冠瓦の両側縁部が覆い被される平板隅瓦（１ａ）に、側面が略台形をなす短尺な板状弾性シール部材（２０）を、その底端面（２１）に垂直な長辺垂直端面（２３）が短辺垂直端面（２４）より上位になるように立設・固定し、防水シート（９）で立設・固定した板状弾性シール部材（２０）を覆い、その上に冠瓦を固定したことを特徴とする乾式棟部構造。
【請求項２】
平板瓦（１）で葺かれた屋根（２）の隅棟部（Ａ）に冠瓦（１０）を乾式で葺設する乾式棟部の隅棟部において、前記平板瓦のうち前記冠瓦の両側縁部に覆い被される平板隅瓦（１ａ）に、側面が略台形をなす短尺な板状弾性シール部材（２０）を、その底端面（２１）に垂直な長辺垂直端面（２３）が短辺垂直端面（２４）より上位になるように立設・固定し、防水シート（９）で立設・固定した板状弾性シール部材（２０）を覆い、その上に冠瓦を固定するとともに、前記乾式棟部の陸棟部（Ｂ）において、前記平板瓦のうち前記冠瓦の両側縁部に覆い被される平板陸瓦（１ｂ）に、側面が略長方形をなす短尺な板状弾性シール部材（６０）を立設・固定し、防水シート（９）で立設・固定した板状弾性シール部材（６０）を覆い、その上に冠瓦を固定したことを特徴とする乾式棟部構造。
【請求項３】
略台形側面を有する板状弾性体（Ｄ）からなる、平板瓦（１）で葺かれた屋根（２）の隅棟部（Ａ）の冠瓦と該冠瓦によって覆い被される平板隅瓦との間に立設・固定されるシール部材。
【請求項４】
前記板状弾性体（Ｄ）は、水平底端面（２１）と、その水平底端面に非平行な上端面（２２）と、該水平底端面から垂直立ち上がる長辺垂直端面（２３）と、その長辺垂直端面から所定距離をおいて前記水平底端面から垂直に立ち上がる短辺垂直端面（２４）を備えている請求項３記載のシール部材。
【請求項５】
前記長辺垂直端面（２３）は、前記短辺垂直端面（２４）の高さ（Ｈ２）と平板隅瓦の厚みの総和に略等しい高さ（Ｈ１）を有している請求項４記載のシール部材。
【請求項６】
前記水平底端面（２１）と、長辺垂直端面（２３）及び／又は短辺垂直端面（２４）に、接着層を有している請求項４記載のシール部材。
【請求項７】
前記接着層は、感圧接着剤から形成されているとともに、その表面が離形シート（２５）で被覆されている請求項６記載のシール部材。
【請求項８】
前記板状弾性体（Ｄ）が、発泡合成樹脂又は合成ゴムである請求項４記載のシール部材。
【請求項９】
前記板状弾性体（Ｄ）が、発泡合成樹脂又は合成ゴムから形成されているとともに、その表裏面側に内部層（２０ｃ）より密度の大きなスキン層（２０ａ、２０ｂ）を有している請求項４記載のシール部材。
【発明の詳細な説明】
【技術分野】
【０００１】
本発明は、平板瓦で葺かれた寄棟屋根における乾式棟部構造及びそれに使用されるシール部材に関するものである。
【背景技術】
【０００２】
瓦葺き屋根の隅棟部に冠瓦を葺設する際、隅棟部となる屋根部材の頂部と冠瓦との間の空間部に水を使用して練られる漆喰等の湿式資材を詰めることなく葺設する、いわゆる乾式棟部構造は、特開２００４−２４４７９９号公報により、公知である。この技術によると、波型瓦のうち前記冠瓦の両側縁部に覆い被される波型隅瓦と冠瓦の両縁部裏側との間に、軒先から棟部に向かって延びる一対の長尺な弾性シール部材を塀状に立設・固定するようになっている。このような乾式棟部構造は、その施工に際して前記湿式資材を準備して屋根の隅棟部に搬送する必要がなく、しかもその湿式資材を前記冠瓦の裏面側において一対の前記弾性シール部材間に充填する熟練技能者に依存することなく施工できるという点において低コストで隅棟部の施工効率を著しく向上させることができる。
【特許文献１】特開２００４−２４４７９９号公報
【発明の開示】
【発明が解決しようとする課題】
【０００３】
しかしながら、この公知技術においては、前記弾性シール部材の下端面を波型隅瓦の形状に裁断して、隅棟に添って真っ直ぐに固定しなければならないという葺設作業上の煩雑が存在する。そこで本発明者はこの煩雑さを解消して、隅棟部の施工作業効率をさらに向上させ得る改良技術を確立するため、鋭意検討したところ、屋根に葺かれる瓦として降雨を受ける露出面の殆どが平らな、いわゆる平板瓦に対して、特定の長さを有しかつ特定の形状・構造を有する弾性シール部材と防水シートを組み合わせて使用すれば、前記の煩雑さを解消し得るとともに、熟練技能者でなくても乾式隅棟部の施工効率を著しく向上させることが可能であるという事実を見出し、本発明を完成した。従って、本発明の課題は、平板瓦葺き屋根における乾式隅棟部の施工を熟練技能者でない作業者でも効率よく遂行できるようにすることにある。
【課題を解決するための手段】
【０００４】
本発明は前記の課題を解決するために、平板瓦で葺かれた屋根の隅棟部に冠瓦を乾式で葺設される乾式隅棟部において、前記平板瓦のうち前記冠瓦の両側縁部が覆い被される平板隅瓦と冠瓦との間に、側面が略台形をなす短尺な板状弾性シール部材を、その底端面に垂直な長辺垂直端面が短辺垂直端面より上位になるように立設・固定し、防水シートで立設・固定した板状弾性シール部材を覆い、その上に冠瓦を固定するという手段を採用する。なお、ここで略台形とは、前記平板隅瓦とそれに隣接して葺かれる隣接平板隅瓦とが部分的に重なって一方の平板隅瓦の上方に突出形成される突出部を板状弾性シール部材が跨ぐ場合において、その板状弾性シール部材の底端面に前記突出部が入り込む切欠き乃至は肉盗みを形成可能な程度に変形した側面を許容することを意味する。ただし、板状弾性シール部材を部分的に上下方向に圧縮して該板状弾性シール部材を前記突出部に跨がせることができるときは、その積極的に上記切欠き等を板状弾性シール部材に設ける必要はない。
【０００５】
本発明は前記の手段を採用することにより、寄棟屋根において平板瓦と同一段に葺かれる１枚の、又は２枚連接して葺かれる平板隅瓦上に１枚の短尺な板状弾性シール部材を斜交する状態で隅棟に添って簡単かつ確実に立設・固定できる。そしてこの立設・固定作業を複数枚の短尺な板状弾性シール部材を使用して隅棟の軒先側から陸棟側に向かって反復する。また、立設・固定した板状弾性シール部材を全て防水シートで覆い、その上に冠瓦を固定することによって冠瓦のジョイント部から入る雨水を板状弾性シール部材の外側に排出することが出来る。
【０００６】
このように、隅棟部を構成する冠瓦の両縁部裏側に位置する平板隅瓦の上に、熟練を要しない作業員でも一人で、一対の短尺な板状弾性シール部材を立設・固定できるとともに、その固定作業を隅棟の軒先側から陸棟に向かって反復的に実施することにより、冠瓦の両側縁部裏面側において軒先側から陸棟に向かって長尺な板状弾性シール部材を、複数の作業者が真っ直ぐに引き揃えてから、平板隅瓦に立設・固定する公知技術の方法に比較して、乾式隅棟部の施工効率を著しく向上させることができる。
【０００７】
また、乾式棟部の隅棟部において、前記平板瓦のうち前記冠瓦の両側縁部に覆い被される平板隅瓦と冠瓦との間に、側面が略台形をなす短尺な板状弾性シール部材を、その底端面に垂直な長辺垂直端面が短辺垂直端面より上位になるように（別の言い方をすれば、板状弾性シール部材の長辺垂直端面が、その板状弾性シール部材が立設・固定されている平板隅瓦の一段上位の平板隅瓦に立設・固定される板状弾性シール部材の短辺垂直端面より下位になるように）立設・固定する手段を採用したので、前記長辺垂直端面が、前記一段上位に葺かれた平板隅瓦に固定される板状弾性シール部材の短辺垂直端面と当接させることができる。
【０００８】
その結果、短尺な板状弾性シール部材が軒先側から陸棟に向かって複数個連接して、公知技術の弾性シール部材と同様に連続した弾性シール部材にできる。しかもそれら板状弾性シール部材は、冠瓦の両縁部裏側と均等に当接するとともに、冠瓦の葺設勾配より緩い勾配で葺かれた平板棟隅瓦の傾斜角を吸収しながら平板隅瓦の表面と均等に当接する。そして、完成した乾式隅棟部構造においては隅棟の両側に傾斜して葺かれた平板隅瓦、それらの上に相対峙して立設される一対の板状弾性シール部材及び冠瓦によって形成される空間には、湿った漆喰を充填しなくても、その空間に雨水の浸入を阻止できる。
【０００９】
また、冠瓦を乾式で葺設する冠瓦の乾式棟部構造は、平板瓦葺きの寄棟屋根の全ての棟部に施工される。すなわち、平板瓦で葺かれた屋根の隅棟部に冠瓦を乾式で葺設する乾式棟部の隅棟部において、前記平板瓦のうち前記冠瓦の両側縁部に覆い被される平板隅瓦と冠瓦との間に、側面が略台形をなす短尺な板状弾性シール部材を、その底端面に垂直な長辺垂直端面が短辺垂直端面より上位になるように立設・固定、防水シートで立設・固定した板状弾性シール部材を覆い、その上に冠瓦を固定するとともに、前記乾式棟部の陸棟部において、前記平板瓦のうち前記冠瓦の両側縁部に覆い被される平板陸瓦と冠瓦との間に、側面が略長方形をなす短尺な板状弾性シール部材を立設・固定し、防水シートで立設・固定した板状弾性シール部材を覆い、その上に冠瓦を固定するという手段が採用される。
【００１０】
この態様において陸棟部の冠瓦の両側縁部裏側には、前記平板陸瓦とそれに隣接して葺かれる隣接平板陸瓦とが部分的に重なって生ずる突出部が形成されるので、板状弾性シール部材に前記突出部を跨がせるために、隅棟部の板状弾性シール部材の場合と同様に、板状弾性シール部材を部分的に圧縮したり底端面側に肉盗み部を形成したりすることができる。この構造を有する乾式隅棟部において前記した作用・効果が発揮されるとともに、乾式陸棟部において同様の作用・効果が発揮される。
【００１１】
また、本発明に係る弾性シール部材においてその長辺垂直端面は、短辺垂直端面の高さと平板隅瓦の厚みの総和に略等しい高さを有しているので、板状弾性シール部材を、短辺垂直端面が平板隅瓦の頭部側に位置するように、平板隅瓦の上に設置すれば、屋根の働き勾配より緩やかに葺かれた平板隅瓦の傾斜角（厳密には弾性シール部材が斜交する斜交角分を補正した傾斜角）を板状弾性シール部材が吸収する。
【００１２】
本発明に係る弾性シール部材においては、その底端面並びに長辺垂直端面及び／又は短辺垂直面に接着層が設けられているので、接着層を介して弾性シール部材を平板隅瓦に接合可能になり、その結果、乾式隅棟構造の施工効率を向上させることが可能になる。また、平板隅瓦上に立設・固定される弾性シール部材の短辺垂直端面に対して、前記平板隅瓦の１段下位に葺かれた平板隅瓦上の弾性シール部材の長辺垂直端面を接合することができる。その結果、乾式隅棟構造が上位に逐次施工されてゆくにつれて、本発明に係る弾性シール部材を連続した構造にすることができる。
【００１３】
さらに、前記接着層を感圧接着剤から形成するとともにその表面を剥離シートで被覆したので、乾式隅棟構造の施工時に剥離シートを剥離してシール部材を平板隅側に押圧すれば、乾式隅棟構造の施工効率を一段と向上させるこができる。
【００１４】
加えて弾性シール部材を発泡合成樹脂又は合成ゴム等の板状弾性体により構成するとともに、その表裏面側に内部層より密度の大きなスキン層を有するようにしたので、弾性シール部材を平板隅瓦の上に自立可能にするとともに撥水性能を付与できる。
【発明の効果】
【００１５】
本発明は、平板瓦葺き屋根における乾式隅棟部の施工効率を著しく向上させることができるという優れた効果を発揮する。
【発明を実施するための最良の形態】
【００１６】
次に、図面を参照しながら、本発明の最良の実施形態について詳述する。本発明に係る乾式棟部構造は、図１、図２及び図３に示すように、平板瓦１が葺かれた屋根２の隅棟部Ａに実現されている。
【００１７】
平板瓦１は、降雨を受ける露出面の殆どが平らな表面３になっており、その右側縁部が、平板瓦１に隣接して右側に葺かれる他の平板瓦１の左側縁部を被覆する、被覆部３１になっている。同じく左側縁部が、平板瓦１に隣接して左側に葺かれるもう一つ他の平板瓦１の右側縁部の下に差し込まれる、差込部３２になっている。この差込部３２と被覆部３１とが重なったがために該被覆部３１が前記表面３より上方に突出して形成した部位を本発明において突出部Ｃと称する。
【００１８】
本発明に係る屋根２は寄棟屋根であり、公知技術のそれと同様に野地板５、ルーフィング防水シート６及び桟木７の上に千鳥状に葺かれた平板瓦１とからなり、屋根２の傾斜した頂部に隅棟部Ａが、そして水平な頂部に陸棟部Ｂがそれぞれ形成されている。特に本発明に係る平板瓦は、その尻部中央に形成された係止突起片が一段上位に葺かれた平板瓦の頭部寄りの差込部に形成されている被係止部を係止して、それら平板瓦が相互に、ひいては屋根２の平板瓦の殆どが係合し合って、暴風雨に曝されても吹き飛ばされない機能を発揮するよう、いわゆる防災瓦により千鳥葺きされる。
【００１９】
また、前記隅棟部Ａ及び陸棟部Ｂのそれぞれにおいて傾斜した２面の野地板５が突き合わされてできた頂部４には、所定長さの支承金具８が垂直にかつ所定間隔をおいて複数個、１列に立設されており、それらの上端部に防水シート９と冠瓦１０とを下方から支持する長尺な棟部垂木１１が挟持されている。
【００２０】
さらに、図１に示すように、前記隅棟部Ａにおいて前記平板瓦１のうち、前記冠瓦１０の両縁部が覆い被さる一対平板瓦（本発明においてはこの瓦を平板隅瓦と定義する）１ａと冠瓦１０との間には、側面が略台形をなす短尺な一対の第一板状弾性シール部材２０が所定間隔をおいて立設・固定されており、それらの間には湿った漆喰を充填することのない空間Ｓが形成されている。
【００２１】
同様に、図２に示すように、前記陸棟部Ｂにおいて前記平板瓦１のうち、前記冠瓦１０の両側縁部が覆い被さる一対の平板陸瓦１ｂと冠瓦１０との間には、側面が略長方形をなす短尺な一対の第二板状弾性シール部材６０が所定間隔をおいて立設・固定されており、それらの間にも湿った漆喰を充填することのない空間Ｓが形成されている。
【００２２】
このように平板瓦１で葺かれた屋根２の隅棟部Ａにおいて、２面の野地板５及びルーフィング防水シート６と、一対の平板隅瓦１ａと、一対の第一板状弾性シート部材２０と、支持金具８と、防水シート９と、冠瓦１０とによって本発明に係る乾式隅棟部構造が形成されている。同様に、平板瓦１で葺かれた屋根２の陸棟部Ｂにおいて、２面の野地板５及びルーフィング防水シート６と、一対の平板陸瓦１ｂと、一対の第二板状弾性シート部材３０と、支持金具８と、防水シート９と、冠瓦１０とによって本発明に係る乾式陸棟部構造が形成されている。なお、本発明において前記乾式隅棟部構造及び／又は乾式陸棟部構造を単に乾式棟部構造と称する。
【００２３】
次に、前記乾式隅棟部構造において使用する第一板状弾性シート部材２０について詳述すると、それは、図１、図４〜図７に示すように、隅棟部Ａの冠瓦１０とそれによって覆い被される平板隅瓦１ａとの間に立設・固定され、冠瓦１０の裏面側空間Ｓに雨水が浸入するのを阻止するために使用される。第一板状弾性シート部材２０は、発泡合成樹脂又は合成ゴム等の板状弾性体Ｄからなっているとともに、平板棟瓦１ａ上に対する自立性能及び裏面側空間Ｓに対する雨水の耐浸入性能を高めるために、その表裏面側に内部層２０ｃより密度の大きなスキン層２０ａ、２０ｂが形成されている。
【００２４】
また、第一板状弾性シート部材２０は、平板棟瓦１ａの表面３に当接する水平な底端面２１と、その底端面２１に対して非平行な上端面２２と、前記底端面２１から垂直に立ち上がる長辺垂直端面２３と、その長辺垂直端面２３２２から所定の間隔をおいて前記底端面２１から垂直に立ち上がる短辺垂直端面２４とを有する、側面が略台形の板状構造体である。
【００２５】
そして前記底端面２１は、図５及び図８に示すように、板状弾性シール部材２０が１枚の又は２枚連接して葺かれる平板隅瓦１ａ上を斜交する長さに等しい底面長さＬを有している。言い換えれば、第一板状弾性シールシート部材２０は、１枚の平板隅瓦１ａ上に立設・固定されたり、２枚の平板隅瓦１ａ上に固定されたりする。そのとき、前記平板隅瓦１ａとそれに隣接して葺かれる隣接平板隅瓦１ａとが部分的に重なって上方に突出形成される突出部Ｃを板状弾性シール部材２０が跨ぐ場合があるので、そこに使用される板状弾性シール部材２０の底端面２１には、図８に示すように、前記突出部Ｃ上を斜交するに必要な切欠き２６を形成することもできる。しかしながら、本発明に係る板状弾性シール部材２０が発泡合成樹脂又は発泡合成ゴムからなる板状弾性体Ｄからできているので、高い弾性乃至は圧縮変形性を有する板状弾性シール部材２０を使用する場合は、その底端面2１に切欠き２６を形成させることなく、一部分を圧縮変形して使用される。
【００２６】
他方、第一板状弾性シール部材２０の長辺垂直高さＨ１は、実質上短辺垂直高さＨ２と平板隅瓦１ａの厚さの総和に等しくなっており、図８示すように、第一板状弾性シール部材２０が、その長辺垂直端面２３を平板隅瓦１ａの尻部（陸棟）側にして立設・固定されたとき、隅棟の傾きより緩やかに葺かれた平板隅瓦１ａの傾斜角を吸収して、第一板状弾性シール部材２０の上端面２２の傾きが冠瓦の傾きと同じになるようになっている。
【００２７】
さらに第一板状弾性シート部材２０が隅棟部構造に使用される前の状態において前記底端面２１と長辺垂直端面２３には、図４及び図５に示すように、接着層、好ましくは、感圧接着剤からなる接着層が設けられており、その表面に離形シート２５が被覆されている。なお、接着層及び離形シート２５は、短辺垂直端面２４に設けたり、底端面２１、長辺垂直端面２３及び短辺垂直端面２４に設けたりすることができる。
【００２８】
次に、第二板状弾性シール部材６０について説明すると、それは、図２、図９〜図１１に示すように、屋根２の陸棟部Ｂにおいて冠瓦１０とそれによって覆い被される平板陸瓦１ｂとの間に立設・固定され、冠瓦１０の裏側空間Ｓに雨水が浸入するのを阻止するために使用され、主たる構成要件については第一板状弾性シール部材２０と実質上同一であるが、側面形状に関して相異する。すなわち、第二板状弾性シール部材６０は、水平底端面６２を長辺としその端面から垂直に立ち上がる垂直端面６１を短辺とする長方形をなす側面を有している。また、底端面６２には、必要に応じて第一板状弾性シール部材２０の場合と同様に、前記平板陸瓦１ｂとそれに隣接して葺かれる隣接平板陸瓦１ｂとが部分的に重なって生ずる突出部Ｃの断面形状に相当する切欠き６３を形成することができる。
【００２９】
このように構成される本発明に係る第一、第二板状弾性シール部材２０、６０を使用して、本発明に係る乾式棟構造を構成するには、次の手順が採用される。公知技術と同様に屋根２を構成する野地板５及び防水シート６等の下地材を屋根の骨組上に施工したら、平板瓦1を軒先側から棟側に向かって、平板隅瓦１ａを除いて（平板隅瓦１ａは次の段階で葺く）、葺き上げるとともに、図１、図２及び図９に示すように、２面の前記下地材の頂部４に複数本の支持金具８を所定間隔で立設・固定し、さらにそれらの支持金具８の上に棟垂木１１を固定する。
【００３０】
次いで、平板隅瓦１ａ及び平板棟瓦１ｂを下地材に載せて、釘孔１２を通して釘１３を野地板５に打ち付けることにより、平板隅瓦１ａ及び平板棟瓦１ｂを下地材に固定する。それらから、図９、図１０及び図１２に示すように、棟垂木１１に添ってそれと所定間隔をおいてその両側に平板隅瓦１ａ及び平板陸瓦１ｂ上に第一板状弾性シール部材２０と第二板状弾性シール部材６０を立設・固定して、隅棟部Ａ及び陸棟部Ｂの形成を始める。
【００３１】
このとき、隅棟部Ａにおける第一板状弾性シール部材２０は、その長辺垂直端面２３が短辺垂直端面２４より上位になるように配列するとともに、水平底端面２１及び長辺垂直端面２３から剥離シート２５を剥がして、第一板状弾性シール部材２０を平板隅瓦１ａに押し付ける。すると、図８に示すように、短尺な第一板状弾性シール部材２０の長辺垂直端面２３が、その一段上位に葺かれた平板隅瓦１ａの表面３から該平板隅瓦１ａの厚さ分だけ上方に突出する。
【００３２】
次いで前記したように一段上位に葺かれた平板隅瓦１ａ上に前記同様にして短尺な第一板状弾性シール部材２０を立設・固定する。このようにして隅棟部Ａの第一板状弾性シール部材２０を配置・固定すると、やがて陸棟部Ｂ近くで二つの隅棟部Ａ間の第一板状弾性シール部材２０がドッキングする。そこで第一板状弾性シール部材２０と異なる第三弾性シール部材４０をＶ字形に屈曲させて、二つの第一板状弾性シール部材２０を接合するが、このとき使用される第三弾性シール部材４０が屈曲される中央部を両端部より広幅にしておき、平板隅瓦１ａの傾斜角を吸収可能にするしておく。ただし、高い弾性乃至は圧縮変形性を有する板状弾性シール部材を使用する場合は、第三弾性シール部材４０を第二板状シール部材６０で代用することも可能である。
【００３３】
他方、陸棟部Ｂにおいて平板陸瓦１ｂ上に第二板状弾性シール部材６０を前記同様に配置・固定してゆくと、隅棟部Ａの第一板状弾性シール部材２０と陸棟部Ｂの第二板状弾性シール部材６０とがドッキングする。そこで、図１２に示すように、両シール部材２０、６０間に「く」字形に屈曲した第四弾性シール部材５０を介在させて第一、第二板状弾性シール部材２０、６０を接合する。ただし、高い弾性乃至は圧縮変形性を有する板状弾性シール部材を使用する場合は、第四弾性シール部材５０を第二板状シール部材６０で代用することも可能である。
【００３４】
このように第一、第二板状弾性シール部材、第三、第四弾性シール部材２０、６０、４０、５０を施工したら、次に、図１３に示すように、棟垂木１１の上に防水シート９をつづり針屈曲釘１４で止着した後、さらに、図３に示すように、冠瓦１０を固定釘１５で固定するとともに、二つの隅棟部Ａと一つの陸棟部Ｂが交差する箇所に三又冠瓦７０を固定すると、図１及び図２に示すように、本発明に係る乾式棟部構造、すなわち、乾式隅棟部構造と乾式陸棟部構造が完成する。
【００３５】
このように本発明に係る乾式棟部構造を施工する過程において、漆喰のような湿式資材を準備して屋根の隅棟部に搬送する必要がなく、予め所定の形状・構造の板状弾性シール部材を数種類準備し、それらを平板隅瓦と平板棟瓦の上に所定の設計仕様により配置・固定し、防水シートを止着した最後に棟垂木の上に冠瓦等を固定すれば、乾式隅棟部が完成するので、熟練を要することのない作業員でも乾式棟部構造の施工効率を著しく向上させることができる。
【００３６】
本発明はその根本的技術思想を踏襲し発明の効果を著しく損なわない限度において前記の実施態様を部分的に変更して実施することができる。例えば、平板瓦１を葺く前に棟垂木１１を施工することができるし、平板隅瓦及び平板陸瓦を葺設してから棟垂木１１を施工することもできる。さらに必要に応じて、前記弾性シール部材と対応する平板瓦のとの間にコーキングを施すこともできる。
【産業上の利用可能性】
【００３７】
本発明は、平板瓦で葺かれた寄棟屋根の施工に広く利用できる。
【図面の簡単な説明】
【００３８】
【図１】本発明に係る乾式棟部構造のうちの隅棟部構造を示す部分断面図である。
【図２】同じく陸棟部構造を示す部分断面図である。
【図３】本発明に係る乾式棟部構造の部分鳥瞰図である。
【図４】本発明に係る第一板状弾性シート部材の斜視図である。
【図５】同じく側面図である。
【図６】図５におけるX―X矢視断面図である。
【図７】前記第一板状弾性シート部材の連結状態を示す部分斜視図である。
【図８】乾式棟部構造の施工過程を示す要部斜視図である。
【図９】本発明に係る乾式棟部構造の一施工過程を示す部分鳥瞰図である。
【図１０】本発明に係る乾式棟部構造の他の一施工過程を示す部分鳥瞰図である。
【図１１】本発明に係る第二板状弾性シート部材の斜視図である。
【図１２】本発明に係る乾式棟部構造の一施工過程を示す部分上面図である。
【図１３】本発明に係る乾式棟部構造に関し更に他の一施工過程を示す部分鳥瞰図である。
【符号の説明】
【００３９】
１：平板瓦、１ａ：平板隅瓦、１ｂ：平板陸瓦、２：屋根、３：表面、３１：被覆部、３２：差込部、４：頂部、５：野地板、６：ルーフィング防水シート、７：桟木、８：支持金具、９：防水シート、１０：冠瓦、１１：棟部垂木、１２：釘孔、１３：釘、１４：つづり針屈曲釘、１５：固定釘、２０：第一板状弾性シール部材、２０ａ、２０ｂ：スキン層、２０ｃ：内部層、２１：底端面、２２：上端面、２３：長辺垂直端面、２４：短辺垂直端垂直端面、２５：離形シート、２６；切欠き、６０：第二板状弾性シール部材、６１：垂直端面、６２：底端面、４０：第三弾性シール部材、５０：第四弾性シール部材、７０：三又冠瓦、Ａ：隅棟部、Ｂ：陸棟部、Ｃ：突出部、Ｄ：板状弾性体、Ｌ：長さ、Ｈ１：長辺高さ、Ｈ２：短辺高さ、Ｓ：空間。
【図１】
2007327214.tif 000003
【図２】
2007327214.tif 000004
【図３】
2007327214.tif 000005
【図４】
2007327214.tif 000006
【図５】
2007327214.tif 000007
【図６】
2007327214.tif 000008
【図７】
2007327214.tif 000009
【図８】
2007327214.tif 000010
【図９】
2007327214.tif 000011
【図１０】
2007327214.tif 000012
【図１１】
2007327214.tif 000013
【図１２】
2007327214.tif 000014
【図１３】
2007327214.tif 000015